(57)【要約】  悪臭害虫に由来する悪臭を消臭することができる消臭組成物を提供する。  シクロヘキサンプロピオン酸アリル、マルトール、バニリン、α，３，３−トリメチルシクロヘキサンメタノールホルマート、１−ヘキサノール、２−メチルペンタン酸エチル、酢酸ヘキシル、テルピネオール、ライムオイル、ベンジルアルコール、β−ナフチルメチルエーテル、リナロール、p−シメン、リモネン、イソアミルブチレート、酢酸イソアミル、酢酸プレニル、シトラール、メチルヘプテノン、フェニル酢酸エチル、ノナナール、ジヒドロミルセノール、γ-テルピネン、ユーカリオイル、シス−３−ヘキセノール、クミンアルデヒド、及びオクタナールからなる群から選択される少なくとも１種の香料成分を０．００５重量％以上含む消臭組成物。【特許請求の範囲】
【請求項１】
悪臭害虫に由来する悪臭を消臭するための消臭組成物であって、
シクロヘキサンプロピオン酸アリル、マルトール、バニリン、α，３，３−トリメチルシクロヘキサンメタノールホルマート、１−ヘキサノール、２−メチルペンタン酸エチル、酢酸ヘキシル、テルピネオール、ライムオイル、ベンジルアルコール、β−ナフチルメチルエーテル、リナロール、ｐ−シメン、リモネン、イソアミルブチレート、酢酸イソアミル、酢酸プレニル、シトラール、メチルヘプテノン、フェニル酢酸エチル、ノナナール、ジヒドロミルセノール、γ−テルピネン、ユーカリオイル、シス−３−ヘキセノール、クミンアルデヒド、及びオクタナールからなる群から選択される少なくとも１種の香料成分を０．００５重量％以上含む消臭組成物。
【請求項２】
前記悪臭の原因物質は、トランス−２−ヘキセナール、トランス−２−デセナール、及びトリデカンからなる群から選択される少なくとも１種である請求項１に記載の消臭組成物。
【請求項３】
前記悪臭害虫は、カメムシ類、トコジラミ類、ゴキブリ類、ゴミムシ類、テントウムシ類、カミキリムシ類、クサカゲロウ類、ヤスデ類、及びサシガメ類からなる群から選択される少なくとも一つである請求項１又は２に記載の消臭組成物。
【請求項４】
前記香料成分は、前記悪臭を変調、又はマスキングにより消臭する請求項１〜３の何れか一項に記載の消臭組成物。
【請求項５】
前記香料成分の含有量が、０．０１〜５重量％である請求項１〜４の何れか一項に記載の消臭組成物。
【請求項６】
アルコール水溶液に前記香料成分を含む水性アルコール製剤、水に前記香料成分を含む水性液剤、又は有機溶媒に前記香料成分を含む非水性液剤として構成される請求項１〜５の何れか一項に記載の消臭組成物。
【請求項７】
悪臭害虫に由来する悪臭を消臭するための消臭方法であって、
請求項１〜６の何れか一項に記載の消臭組成物を、前記悪臭害虫が存在する空間、又は前記悪臭害虫による悪臭が発生している空間に処理する消臭方法。
【請求項８】
殺虫成分、及び悪臭害虫に由来する悪臭を消臭する香料成分を含む悪臭害虫防除用組成物。
【請求項９】
前記香料成分は、前記悪臭を変調により消臭する請求項８に記載の悪臭害虫防除用組成物。
【請求項１０】
前記香料成分は、シクロヘキサンプロピオン酸アリル、マルトール、バニリン、α，３，３−トリメチルシクロヘキサンメタノールホルマート、１−ヘキサノール、２−メチルペンタン酸エチル、酢酸ヘキシル、テルピネオール、ライムオイル、ベンジルアルコール、β−ナフチルメチルエーテル、リナロール、ｐ−シメン、及びリモネンからなる群から選択される少なくとも１種である請求項８又は９に記載の悪臭害虫防除用組成物。
【請求項１１】
前記香料成分は、前記悪臭をマスキングにより消臭する請求項８に記載の悪臭害虫防除用組成物。
【請求項１２】
前記香料成分は、イソアミルブチレート、酢酸イソアミル、酢酸プレニル、シトラール、メチルヘプテノン、フェニル酢酸エチル、ノナナール、ジヒドロミルセノール、γ−テルピネン、ユーカリオイル、シス−３−ヘキセノール、クミンアルデヒド、及びオクタナールからなる群から選択される少なくとも１種である請求項８又は１１に記載の悪臭害虫防除用組成物。
【請求項１３】
前記悪臭の原因物質は、トランス−２−ヘキセナール、トランス−２−デセナール、及びトリデカンからなる群から選択される少なくとも１種である請求項８〜１２の何れか一項に記載の悪臭害虫防除用組成物。
【請求項１４】
前記悪臭害虫は、カメムシ類、トコジラミ類、ゴキブリ類、ゴミムシ類、テントウムシ類、カミキリムシ類、クサカゲロウ類、ヤスデ類、及びサシガメ類からなる群から選択される少なくとも一つである請求項８〜１３の何れか一項に記載の悪臭害虫防除用組成物。
【請求項１５】
前記香料成分の含有量が、０．００５重量％以上である請求項８〜１４の何れか一項に記載の悪臭害虫防除用組成物。
【請求項１６】
請求項８〜１５の何れか一項に記載の悪臭害虫防除用組成物を、前記悪臭害虫が存在する空間、又は前記悪臭害虫による悪臭が発生している空間に処理する悪臭害虫防除方法。
【発明の詳細な説明】
【技術分野】
【０００１】
本発明は、悪臭害虫に由来する悪臭を消臭するための消臭組成物、及び消臭方法、並びに悪臭害虫防除用組成物、及び悪臭害虫防除方法に関する。
【背景技術】
【０００２】
悪臭を放出する害虫（以下「悪臭害虫」という）として代表的なカメムシ類は、農作物に対する吸汁性を有するため農業害虫となるだけではなく、越冬のために暖かい屋内に集団で侵入したり、干してあった洗濯物に付着し、取り込まれた洗濯物とともに屋内へ侵入することも多いため、住居における不快害虫としても駆除することが望まれる。特に、カメムシ類が危険を感じた際等に分泌する分泌物は、非常に強い悪臭を呈するため、住居における駆除では、悪臭への対策も重要となる。また、カメムシ類と近縁のトコジラミ類についても、カメムシ類と同様の悪臭を放つことが知られており、トコジラミ類の駆除においても、悪臭への対策が求められる。【０００３】
例えば、カメムシ類の駆除時の悪臭を防ぐエアゾール剤がある（特許文献１を参照）。特許文献１のエアゾール剤は、噴霧開始から３秒以内にカメムシ類をノックダウン又は致死させることで、分泌物を分泌させる前に害虫を駆除するものである。
【先行技術文献】
【特許文献】
【０００４】
【特許文献１】特開２００４−２１５６６２号公報
【発明の概要】
【発明が解決しようとする課題】
【０００５】
しかしながら、カメムシ類、トコジラミ類等の悪臭害虫は、駆除時の虫体、及び駆除後の死骸から悪臭が放出される。特許文献１のエアゾール剤は、悪臭害虫の駆除時の虫体、及び駆除後の死骸から放出される悪臭を考慮したものではなく、悪臭害虫の悪臭を十分に抑制することができなかった。【０００６】
本発明は、上記問題点に鑑みてなされたものであり、悪臭害虫に由来する悪臭を消臭することができる消臭組成物、及び消臭方法、並びに悪臭害虫を駆除するとともに、悪臭害虫の駆除時の虫体、及び駆除後の死骸から放出される悪臭を消臭することができる悪臭害虫防除用組成物、及び害虫防除方法を提供することを目的とする。
【課題を解決するための手段】
【０００７】
上記課題を解決するための本発明に係る消臭組成物の特徴構成は、
悪臭害虫に由来する悪臭を消臭するための消臭組成物であって、
シクロヘキサンプロピオン酸アリル、マルトール、バニリン、α，３，３−トリメチルシクロヘキサンメタノールホルマート、１−ヘキサノール、２−メチルペンタン酸エチル、酢酸ヘキシル、テルピネオール、ライムオイル、ベンジルアルコール、β−ナフチルメチルエーテル、リナロール、ｐ−シメン、リモネン、イソアミルブチレート、酢酸イソアミル、酢酸プレニル、シトラール、メチルヘプテノン、フェニル酢酸エチル、ノナナール、ジヒドロミルセノール、γ−テルピネン、ユーカリオイル、シス−３−ヘキセノール、クミンアルデヒド、及びオクタナールからなる群から選択される少なくとも１種の香料成分を０．００５重量％以上含むことにある。【０００８】
本構成の消臭組成物によれば、上記の香料成分を０．００５重量％以上含有するため、悪臭害虫に由来する悪臭を適切に消臭することができる。【０００９】
本発明に係る消臭組成物において、
前記悪臭の原因物質は、トランス−２−ヘキセナール、トランス−２−デセナール、及びトリデカンからなる群から選択される少なくとも１種であることが好ましい。【００１０】
本構成の消臭組成物によれば、分泌物に上記の悪臭原因物質を含む悪臭害虫から放出される悪臭を効果的に消臭することができる。【００１１】
本発明に係る消臭組成物において、
前記悪臭害虫は、カメムシ類、トコジラミ類、ゴキブリ類、ゴミムシ類、テントウムシ類、カミキリムシ類、クサカゲロウ類、ヤスデ類、及びサシガメ類からなる群から選択される少なくとも一つであることが好ましい。【００１２】
上記の悪臭害虫は、住居における不快害虫であり、本構成の消臭組成物によれば、上記の悪臭害虫から放出される悪臭を消臭できるため、不快害虫による不快臭を抑えることができる。【００１３】
本発明に係る消臭組成物において、
前記香料成分は、前記悪臭を変調、又はマスキングにより消臭することが好ましい。【００１４】
本構成の消臭組成物によれば、香料成分の香気が悪臭害虫に由来する悪臭を良い香りに変調したり、香料成分の香気が悪臭害虫に由来する悪臭をマスキングすることにより、悪臭に対する高い消臭効果を発揮することができる。【００１５】
本発明に係る消臭組成物において、
前記香料成分の含有量が、０．０１〜５重量％であることが好ましい。【００１６】
本構成の消臭組成物によれば、香料成分の含有量が上記の範囲にあることにより、悪臭害虫に由来する悪臭を確実に消臭することができる。【００１７】
本発明に係る消臭組成物において、
アルコール水溶液に前記香料成分を含む水性アルコール製剤、水に前記香料成分を含む水性液剤、又は有機溶媒に前記香料成分を含む非水性液剤として構成されることが好ましい。【００１８】
本構成の消臭組成物によれば、水性アルコール製剤、水性液剤、又は非水性液剤として構成されることにより、使い勝手がよいものとなる。【００１９】
上記課題を解決するための本発明に係る消臭方法の特徴構成は、
悪臭害虫に由来する悪臭を消臭するための消臭方法であって、
上述の何れかの消臭組成物を、前記悪臭害虫が存在する空間、又は前記悪臭害虫による悪臭が発生している空間に処理することにある。【００２０】
本構成の消臭方法によれば、特定の香料成分を含む消臭組成物を処理するため、悪臭害虫に由来する悪臭を香料成分により消臭することができる。そのため、住居の内外にかかわらず、住居周辺に存在する悪臭害虫による不快臭を抑えることができる。【００２１】
上記課題を解決するための本発明に係る悪臭害虫防除用組成物の特徴構成は、
殺虫成分、及び悪臭害虫に由来する悪臭を消臭する香料成分を含むことにある。【００２２】
本構成の悪臭害虫防除用組成物によれば、殺虫成分、及び悪臭害虫に由来する悪臭を消臭する香料成分を含むため、悪臭害虫を殺虫成分により駆除するとともに、悪臭害虫の駆除時の虫体、及び駆除後の死骸から放出される悪臭を香料成分による変調、又はマスキングにより消臭することができる。そのため、住居における悪臭害虫の駆除に伴う不快臭を抑えることができる。【００２３】
本発明に係る悪臭害虫防除用組成物において、
前記香料成分は、前記悪臭を変調により消臭することが好ましい。【００２４】
本構成の悪臭害虫防除用組成物によれば、香料成分の香気が悪臭害虫に由来する悪臭を良い香りに変調することにより、高い消臭効果を発揮することができる。【００２５】
本発明に係る悪臭害虫防除用組成物において、
前記香料成分は、シクロヘキサンプロピオン酸アリル、マルトール、バニリン、α，３，３−トリメチルシクロヘキサンメタノールホルマート、１−ヘキサノール、２−メチルペンタン酸エチル、酢酸ヘキシル、テルピネオール、ライムオイル、ベンジルアルコール、β−ナフチルメチルエーテル、リナロール、ｐ−シメン、及びリモネンからなる群から選択される少なくとも１種であることが好ましい。【００２６】
本構成の悪臭害虫防除用組成物によれば、上記の香料を含有することにより、悪臭害虫に由来する悪臭を適切に変調することができる。【００２７】
本発明に係る悪臭害虫防除用組成物において、
前記香料成分は、前記悪臭をマスキングにより消臭することが好ましい。【００２８】
本構成の悪臭害虫防除用組成物によれば、香料成分の香気がマスキングすることにより、悪臭に対する高い消臭効果を発揮することができる。【００２９】
本発明に係る悪臭害虫防除用組成物において、
前記香料成分は、イソアミルブチレート、酢酸イソアミル、酢酸プレニル、シトラール、メチルヘプテノン、フェニル酢酸エチル、ノナナール、ジヒドロミルセノール、γ−テルピネン、ユーカリオイル、シス−３−ヘキセノール、クミンアルデヒド、及びオクタナールからなる群から選択される少なくとも１種であることが好ましい。【００３０】
本構成の悪臭害虫防除用組成物によれば、上記の香料を含有することにより、悪臭害虫に由来する悪臭を適切にマスキングすることができる。【００３１】
本発明に係る悪臭害虫防除用組成物において、
前記悪臭の原因物質は、トランス−２−ヘキセナール、トランス−２−デセナール、及びトリデカンからなる群から選択される少なくとも１種であることが好ましい。【００３２】
本構成の悪臭害虫防除用組成物によれば、分泌物に上記の悪臭原因物質を含む悪臭害虫の駆除時の虫体、及び駆除後の死骸から放出される悪臭を効果的に消臭することができる。【００３３】
本発明に係る悪臭害虫防除用組成物において、
前記悪臭害虫は、カメムシ類、トコジラミ類、ゴキブリ類、ゴミムシ類、テントウムシ類、カミキリムシ類、クサカゲロウ類、ヤスデ類、及びサシガメ類からなる群から選択される少なくとも一つであることが好ましい。【００３４】
上記の悪臭害虫は、住居における不快害虫であり、本構成の悪臭害虫防除用組成物によれば、悪臭害虫の駆除時の虫体、及び駆除後の死骸から放出される悪臭を消臭できるため、これらの駆除に伴う不快臭を抑えることができる。【００３５】
本発明に係る悪臭害虫防除用組成物において、
前記香料成分の含有量が、０．００５重量％以上であることが好ましい。【００３６】
本構成の悪臭害虫防除用組成物によれば、香料成分の含有量が０．００５重量％以上であることにより、悪臭害虫に由来する悪臭を確実に消臭することができる。【００３７】
上記課題を解決するための本発明に係る悪臭害虫防除方法の特徴構成は、
上述の何れかの悪臭害虫防除用組成物を、前記悪臭害虫が存在する空間、又は前記悪臭害虫による悪臭が発生している空間に処理することにある。【００３８】
本構成の悪臭害虫防除方法によれば、殺虫成分、及び悪臭害虫に由来する悪臭を消臭する香料成分を含む悪臭害虫防除用組成物を処理するため、殺虫成分により悪臭害虫を駆除するとともに、悪臭害虫の駆除時の虫体、及び駆除後の死骸から放出される悪臭を香料成分により消臭することができる。そのため、住居における悪臭害虫の駆除に伴う不快臭を抑えることができる。
【発明を実施するための形態】
【００３９】
以下、本発明の消臭組成物、及び消臭方法、並びに悪臭害虫防除用組成物、及び悪臭害虫防除方法について説明する。ただし、本発明は、以下に説明する実施形態に記載される構成に限定されることを意図しない。
【００４０】
＜消臭組成物＞
本発明に係る消臭組成物は、悪臭害虫に由来する悪臭を消臭するためのものであり、悪臭害虫の駆除時の虫体、及び駆除後の死骸から放出される悪臭を消臭する香料成分を含有する。悪臭害虫としては、カメムシ類、トコジラミ類、ゴキブリ類、ゴミムシ類、テントウムシ類、カミキリムシ類、クサカゲロウ類、及びヤスデ類等が挙げられるが、中でもカメムシ類、及びトコジラミ類は、住居における不快害虫であり、これらの悪臭害虫に由来する悪臭を消臭したいという消費者の要求は高い。
【００４１】
悪臭害虫が放出する悪臭は、複合臭であり、試験のためにカメムシ等の虫体から大量に準備することは困難であることから、本発明者らは、採集したカメムシの臭気を各種分析機器にて詳細に分析し、悪臭の原因物質として、トランス−２−ヘキセナール、トランス−２−デセナール、及びトリデカンを特定した。これらを混合して、カメムシ類が放出する悪臭を忠実に再現した模擬カメムシ悪臭液を調製し、様々な香料との適合性を詳細に検討したところ、特定の香料によりカメムシ類が放出する悪臭を変調、又はマスキングにより消臭できることが判明した。この新たな知見に基づき、消臭組成物に、香料成分として特定の種類の香料を含有させた結果、優れた消臭効果が認められた。
【００４２】
悪臭の変調（ハーモナイズド）とは、悪臭を香りの構成要素の一つとして取り込むことで良い香りに転換することであり、変調によって、悪臭が存在する環境において香料の香りとは異なる良い香りが知覚される。悪臭害虫が放出する悪臭を変調する香料成分としては、例えば、シクロヘキサンプロピオン酸アリル、マルトール、バニリン、α，３，３−トリメチルシクロヘキサンメタノールホルマート、１−ヘキサノール、２−メチルペンタン酸エチル、酢酸ヘキシル、テルピネオール、ライムオイル、ベンジルアルコール、β−ナフチルメチルエーテル、リナロール、ｐ−シメン、及びリモネンが挙げられ、特に、変調効果に優れるシクロヘキサンプロピオン酸アリル、マルトール、バニリン、α，３，３−トリメチルシクロヘキサンメタノールホルマート、１−ヘキサノール、２−メチルペンタン酸エチル、酢酸ヘキシル、テルピネオール、ライムオイル、及びベンジルアルコールが好ましい。
【００４３】
悪臭のマスキングとは、香料の香気によって悪臭が知覚されることを抑える消臭効果である。悪臭害虫が放出する悪臭をマスキングする香料成分としては、例えば、イソアミルブチレート、酢酸イソアミル、酢酸プレニル、シトラール、メチルヘプテノン、フェニル酢酸エチル、ノナナール、ジヒドロミルセノール、γ−テルピネン、ユーカリオイル、シス−３−ヘキセノール、クミンアルデヒド、及びオクタナールが挙げられ、特に、マスキング効果に優れるイソアミルブチレート、酢酸イソアミル、酢酸プレニル、シトラール、メチルヘプテノン、フェニル酢酸エチル、ノナナール、ジヒドロミルセノール、及びγ−テルピネンが好ましい。
【００４４】
本発明の香料成分としては、上述の悪臭害虫が放出する悪臭を変調する香料成分、及び／又は悪臭害虫が放出する悪臭をマスキングする香料成分を用いるが、これらの香料成分は、単独で使用してもよいし、複数種を組み合わせて使用してもよい。消臭組成物中の香料成分の含有量は、０．００５重量％以上であり、好ましくは０．０１〜５重量％である。このような範囲であれば、悪臭害虫に由来する悪臭に対して優れた消臭性を発揮することができる。消臭組成物中の香料成分の含有量が０．００５重量％未満であると、悪臭害虫に由来する悪臭に対する消臭性が不十分なものとなる場合がある。なお、消臭組成物中の香料成分の含有量の上限値については、悪臭害虫に由来する悪臭に対する消臭性能の点では特に制限はないが、香料成分が過剰になると、消臭組成物を閉鎖空間に処理した場合等に香料成分の臭いが強くなって、むしろ香料成分による不快感を与えることがあるため、現実的には５重量％以下とすることが望ましい。
【００４５】
本発明の消臭組成物は、本発明の効果に支障を来たさない限り、上記成分に加え、カビ類や菌類等を対象とした防カビ剤、抗菌剤、殺菌剤、帯電防止剤、ｐＨ調整剤、消泡剤等を適宜配合することもできる。防カビ剤、抗菌剤、及び殺菌剤としては、ヒノキチオール、２−メルカプトベンゾチアゾール、２−（４−チアゾリル）ベンツイミダゾール、５−クロロ−２−メチル−４−イソチアゾリン−３−オン、トリホリン、３−メチル−４−イソプロピルフェノール、オルト−フェニルフェノール等が挙げられる。
【００４６】
本発明の消臭組成物は、上掲の各成分を適切な重量比で配合し、さらに水、ケロシン等の炭化水素系溶剤、及びアルコール類を添加して各成分の濃度が適切となるように調製される。アルコール類としては、炭素数が２〜３の低級アルコールが好ましく、エタノールが特に好適である。
【００４７】
＜悪臭害虫防除用組成物＞
本発明に係る悪臭害虫防除用組成物は、殺虫成分、及び悪臭害虫に由来する悪臭を抑制する香料成分を含むものであり、例えば、上述の消臭組成物に、殺虫成分を配合することで調製することができる。
【００４８】
殺虫成分は、悪臭害虫の駆除に有効な成分が使用される。そのような成分として、ピレスロイド系殺虫剤、ネオニコチノイド系殺虫剤、カーバメート系殺虫剤が挙げられる。ピレスロイド系殺虫剤としては、例えば、トランスフルトリン、プロフルトリン、メトフルトリン、エムペントリン、フタルスリン、レスメトリン、シフルトリン、フェノトリン、ペルメトリン、シフェノトリン、シペルメトリン、アレスリン、プラレトリン、フラメトリン、イミプロトリン、エトフェンプロックス、シラフルオフェン、モンフルオロトリン、ピレトリン、トラロメトリン、ビフェントリン、及びフェンプロパトリンが挙げられる。ネオニコチノイド系殺虫剤としては、例えば、ジノテフラン、アセタミプリド、イミダクロプリド、クロチアニジン、チアクロプリド、チアメトキサム、及びニテンピラムが挙げられる。カーバメート系殺虫剤としては、プロポクスル、カルバリル、メソミル、及びチオジカルブが挙げられる。なお、ピレスロイド系殺虫剤、ネオニコチノイド系殺虫剤、及びカーバメート系殺虫剤には、不斉炭素に基づく光学異性体や幾何異性体が存在するものがあるが、それらの異性体も殺虫成分に含まれる。これらのピレスロイド系殺虫剤、ネオニコチノイド系殺虫剤、及びカーバメート系殺虫剤は、単独で使用してもよいし、複数種を組み合わせて使用してもよい。悪臭害虫防除用組成物中の殺虫成分の含有量は、０．０１〜３重量％が好ましい。このような範囲であれば、悪臭害虫に対して適切な殺虫効果を奏することができる。悪臭害虫防除用組成物中の殺虫成分の含有量が０．０１重量％未満であると、殺虫成分が不足し殺虫効果が不十分なものとなる場合がある。一方、悪臭害虫防除用組成物中の殺虫成分の含有量が３重量％を超えると、殺虫成分の濃度が高くなるため、悪臭害虫防除用組成物を適切に調製し難くなる場合がある。
【００４９】
＜消臭方法、悪臭害虫防除方法＞
本発明の消臭方法は、本発明の消臭組成物を、悪臭害虫が存在する空間、又は悪臭害虫による悪臭が発生している空間に処理するものである。また、本発明の悪臭害虫防除方法は、本発明の悪臭害虫防除用組成物を、悪臭害虫が存在する空間、又は悪臭害虫による悪臭が発生している空間に処理するものである。
【００５０】
悪臭害虫が存在する空間、又は悪臭害虫による悪臭が発生している空間への組成物の処理は、例えば、本発明の消臭組成物又は悪臭害虫防除用組成物をトリガーポンプ付き容器に充填することで構成されるポンプ式のスプレー製品や、耐圧容器に、本発明の消臭組成物又は悪臭害虫防除用組成物と、必要に応じて噴射剤とを封入することで構成されるエアゾール製品を用いて実施される。噴射剤としては、液化石油ガス（ＬＰＧ）、ジメチルエーテル（ＤＭＥ）、窒素ガス、炭酸ガス、亜酸化窒素、圧縮空気等が挙げられる。上記の噴射剤は、単独又は混合状態で使用することができるが、ＬＰＧを主成分としたものが使い易い。スプレー製品、及びエアゾール製品としては、定量噴射バルブを用いたワンプッシュ式スプレーヤーや、トリガー式スプレーヤーを備えるものが好ましい。これにより、噴射回数に応じて適切な量の消臭組成物又は悪臭害虫防除用組成物を処理することができる。
【００５１】
悪臭害虫が存在する空間、又は悪臭害虫による悪臭が発生している空間への組成物の処理は、他の例として、本発明の消臭組成物又は悪臭害虫防除用組成物を、固化又はゲル化した固体、ゲル状体や、本発明の消臭組成物又は悪臭害虫防除用組成物をシート状、繊維状等の各種担体に含浸させた含浸体を用いて実施することも可能である。このような固体、ゲル状体、及び含浸体を、床面に配置したり、空間中に吊り下げることにより、悪臭害虫に由来する悪臭を抑制することができる。
【００５２】
本発明に係る消臭組成物は、上記のとおり、悪臭害虫が存在する空間、又は悪臭害虫による悪臭が発生している空間に処理することにより、悪臭害虫に由来する悪臭を香料成分により消臭することができる。また、本発明に係る悪臭害虫防除用組成物は、上記のとおり、悪臭害虫が存在する空間、又は悪臭害虫による悪臭が発生している空間に処理することにより、悪臭害虫を殺虫成分により駆除するとともに、悪臭害虫の駆除時の虫体、及び駆除後の死骸から放出される悪臭を香料成分により消臭することができる。そのため、住居におけるマルカメムシ、ツヤアオカメムシ、チャバネアオカメムシ、及びスコットカメムシ等のカメムシ類、トコジラミ類、ゴキブリ類、ゴミムシ類、テントウムシ類、カミキリムシ類、クサカゲロウ類、ヤスデ類、並びにサシガメ類といった悪臭害虫の駆除に伴う不快臭を抑えることができる。
【実施例】
【００５３】
以下、本発明の消臭組成物、及び悪臭害虫防除用組成物の実施例について説明する。なお、以下の実施例において、重量の単位として「ｇ」と示されているものがあるが、これについては任意の倍率でスケールアップが可能である。すなわち、単位「ｇ」は、「重量部」と読み替えることができる。【００５４】
＜香料の選定＞
様々な香料について消臭性確認試験を行い、悪臭害虫に由来する悪臭を消臭する香料を選定した。先ず、トランス−２−ヘキセナール（１０重量％）、トランス−２−デセナール（１５重量％）、及びトリデカン（７５重量％）を混合し、カメムシ類が放出する悪臭を忠実に再現した模擬カメムシ悪臭液を調製した。消臭性確認試験では、香料毎に２００ｍＬガラス製ビーカーを用意し、各ビーカーの底に直径２８．５ｍｍの円形濾紙を置いて、香料のサンプルと模擬カメムシ悪臭液とをそれぞれ１０ｍｇ滴下した。コントロールとして、２００ｍＬガラス製ビーカーの底に直径２８．５ｍｍの円形濾紙を置いて、模擬カメムシ悪臭液のみを１０ｍｇ滴下した。各ビーカーに蓋をして５分間静置した後、５名のパネラーが、夫々のビーカー内の香りをコントロールと比較して、模擬カメムシ悪臭液の悪臭に対する消臭性を評価した。評価基準は、「５：悪臭を感じない」、「４：悪臭をほぼ感じない」、「３：悪臭を若干感じる」、「２：悪臭を感じるが抑えられている印象」、「１：かなり悪臭を感じる」、及び「０：悪臭が全く消えていない」とし、５名のパネラーによる評点の平均値を求めた。消臭性確認試験の結果（評点平均）を表１に示す。【００５５】
【表１】
2020137609.tif 000002
【００５６】
消臭性確認試験の結果、評点平均が２．５以上である香料を、悪臭害虫に由来する悪臭に対する消臭性を有する香料として選定した。具体的には、ライムオイル、酢酸ヘキシル、バニリン、酢酸イソアミル、ｐ−シメン、酢酸プレニル、フェニル酢酸エチル、イソアミルブチレート、α，３，３−トリメチルシクロヘキサンメタノールホルマート、ユーカリオイル、テルピネオール、γ−テルピネン、ジヒドロミルセノール、シクロヘキサンプロピオン酸アリル、２−メチルペンタン酸エチル、メチルヘプテノン、リモネン、リナロール、ベンジルアルコール、ノナナール、シトラール、β−ナフチルメチルエーテル、シス−３−ヘキセノール、マルトール、オクタナール、クミンアルデヒド、及び１−ヘキサノールの２７種の香料が、評点平均が２．５以上となり、悪臭害虫に由来する悪臭に対して優れた消臭性を有することが確認された。【００５７】
＜香料の消臭特性＞
悪臭害虫に由来する悪臭に対する消臭性を有するとして選定した２７種の香料について、消臭特性確認試験を実施した。香料毎に２００ｍＬガラス製ビーカーを用意し、各ビーカーの底に直径２８．５ｍｍの円形濾紙を置いて、香料のサンプルと模擬カメムシ悪臭液とをそれぞれ５ｍｇ滴下した。コントロールとして、香料毎に２００ｍＬガラス製ビーカーを用意し、各ビーカーの底に直径２８．５ｍｍの円形濾紙を置いて、香料のみ５ｍｇ滴下した。各ビーカーに蓋をして５分間静置した後、各香料について、５名のパネラーが、香料のサンプルと模擬カメムシ悪臭液とを滴下したビーカー内の香りと、香料のみを滴下したビーカー内の香りとを比較し、消臭特性を評価した。消臭特性の評価基準は、香料のみ滴下したものと香りが異なる場合に「Ｈ：変調効果」とし、香料のみを滴下したものと香りに違いがない場合に「Ｍ：マスキング効果」とした。【００５８】
さらに、各香料について、５名のパネラーが、香料のサンプルと模擬カメムシ悪臭液とを滴下したビーカー内の香りの嗜好性を評価した。嗜好性の評価基準は、「３：好ましい」、「２：おおよそ好ましい」、「１：どちらかというと好ましい」、及び「０：あまり好ましくない」とし、５名のパネラーによる評点の平均値を求めた。消臭特性（Ｈ又はＭ）は、５名のパネラーによる評価のうち多かったものを採用した。消臭特性確認試験の結果を表２に示す。【００５９】
【表２】
2020137609.tif 000003
【００６０】
消臭特性確認試験の結果、シクロヘキサンプロピオン酸アリル、マルトール、バニリン、α，３，３−トリメチルシクロヘキサンメタノールホルマート、１−ヘキサノール、２−メチルペンタン酸エチル、酢酸ヘキシル、テルピネオール、ライムオイル、ベンジルアルコール、β−ナフチルメチルエーテル、リナロール、ｐ−シメン、及びリモネンは、悪臭害虫が放出する悪臭をハーモナイズドする変調効果を有することが確認された。このうち、シクロヘキサンプロピオン酸アリル、マルトール、バニリン、α，３，３−トリメチルシクロヘキサンメタノールホルマート、１−ヘキサノール、２−メチルペンタン酸エチル、酢酸ヘキシル、テルピネオール、ライムオイル、及びベンジルアルコールは、嗜好性が２以上となる香調のよいものであった。また、イソアミルブチレート、酢酸イソアミル、酢酸プレニル、シトラール、メチルヘプテノン、フェニル酢酸エチル、ノナナール、ジヒドロミルセノール、γ−テルピネン、ユーカリオイル、シス−３−ヘキセノール、クミンアルデヒド、及びオクタナールは、悪臭害虫が放出する悪臭をマスキングするマスキング効果を有することが確認された。このうち、イソアミルブチレート、酢酸イソアミル、酢酸プレニル、シトラール、メチルヘプテノン、フェニル酢酸エチル、ノナナール、ジヒドロミルセノール、及びγ−テルピネンは、嗜好性が２以上となる香調のよいものであった。【００６１】
消臭性確認試験において選定した香料を配合して消臭組成物（実施例１〜１５、参考例）を準備し、悪臭害虫に由来する悪臭に対する消臭性を確認した。また、比較のため、消臭性確認試験において選定した香料を含有しない消臭組成物（比較例１）を準備し、同様に悪臭害虫に由来する悪臭に対する消臭性を確認した。【００６２】
〔実施例１〕
シクロヘキサンプロピオン酸アリル（７．０重量％）、α，３，３−トリメチルシクロヘキサンメタノールホルマート（８．０重量％）、１−ヘキサノール（１５．０重量％）、２−メチルペンタン酸エチル（２２．０重量％）、酢酸ヘキシル（３０．０重量％）、及びテルピネオール（１８．０重量％）を混合し、調合香料（以下、「調合香料Ａ」と称する。）を調製した。調合香料Ａに用いた香料は、何れも消臭特性確認試験において、変調効果を有し嗜好性が２以上となる香調がよいことが確認された香料である。調合香料Ａを香料成分として用いて、下記の処方１〜５により水性アルコール製剤（エタノール製剤）を調製し、香料成分の含有量が夫々０．００１重量％（参考例）、０．００５重量％、０．０１重量％、０．１重量％、及び１重量％である消臭組成物（実施例１）を得た。【００６３】
処方１：香料成分を１ｍｇ（０．００１重量％）、６０％エタノール水溶液を残分（バランス）混合し、全量１００ｇに調製した。
処方２：香料成分を５ｍｇ（０．００５重量％）、６０％エタノール水溶液を残分（バランス）混合し、全量１００ｇに調製した。
処方３：香料成分を１０ｍｇ（０．０１重量％）、６０％エタノール水溶液を残分（バランス）混合し、全量１００ｇに調製した。
処方４：香料成分を１００ｍｇ（０．１重量％）、６０％エタノール水溶液を残分（バランス）混合し、全量１００ｇに調製した。
処方５：香料成分を１０００ｍｇ（１重量％）、６０％エタノール水溶液を残分（バランス）混合し、全量１００ｇに調製した。【００６４】
〔実施例２〕
シクロヘキサンプロピオン酸アリル（５．０重量％）、イソアミルブチレート（７．０重量％）、バニリン（１２．０重量％）、２−メチルペンタン酸エチル（２８．０重量％）、ライムオイル（２２．０重量％）、及びベンジルアルコール（２６．０重量％）を混合し、調合香料（以下、「調合香料Ｂ」と称する。）を調製した。調合香料Ｂに用いた香料は、何れも消臭特性確認試験において、変調効果を有し嗜好性が２以上となる香調がよいことが確認された香料である。調合香料Ｂを香料成分として用いて、処方１、３〜５により、香料成分の含有量が夫々０．００１重量％（参考例）、０．０１重量％、０．１重量％、及び１重量％である消臭組成物（実施例２）を得た。【００６５】
〔実施例３〕
シクロヘキサンプロピオン酸アリル（１７．０重量％）、イソアミルブチレート（１３．０重量％）、α，３，３−トリメチルシクロヘキサンメタノールホルマート（１５．０重量％）、１−ヘキサノール（１２．０重量％）、酢酸ヘキシル（２８．０重量％）、リナロール（８．０重量％）及びリモネン（７．０重量％）を混合し、調合香料（以下、「調合香料Ｃ」と称する。）を調製した。調合香料Ｃに用いた香料は、何れも消臭特性確認試験において、変調効果を有することが確認された香料であり、このうちシクロヘキサンプロピオン酸アリル、イソアミルブチレート、α，３，３−トリメチルシクロヘキサンメタノールホルマート、１−ヘキサノール、酢酸ヘキシルは、嗜好性が２以上となる香調がよいことが確認された香料である。調合香料Ｃを香料成分として用いて、処方１〜５により、香料成分の含有量が夫々０．００１重量％（参考例）、０．００５重量％、０．０１重量％、０．１重量％、及び１重量％である消臭組成物（実施例３）を得た。【００６６】
〔実施例４〕
シクロヘキサンプロピオン酸アリル（１３．０重量％）、イソアミルブチレート（１２．０重量％）、α，３，３−トリメチルシクロヘキサンメタノールホルマート（１８．０重量％）、１−ヘキサノール（１４．０重量％）、酢酸ヘキシル（２８．０重量％）、酢酸イソアミル（７．０重量％）、及びジヒドロミルセノール（８．０重量％）を混合し、調合香料（以下、「調合香料Ｄ」と称する。）を調製した。調合香料Ｄに用いた香料のうちシクロヘキサンプロピオン酸アリル、イソアミルブチレート、α，３，３−トリメチルシクロヘキサンメタノールホルマート、１−ヘキサノール、及び酢酸ヘキシルは、変調効果を有し、酢酸イソアミル、及びジヒドロミルセノールは、マスキング効果を有することが確認された香料であり、また、調合香料Ｄに用いた香料の何れもが嗜好性が２以上となる香調がよいことが消臭特性確認試験において確認された香料である。調合香料Ｄを香料成分として用いて、処方１〜５により、香料成分の含有量が夫々０．００１重量％（参考例）、０．００５重量％、０．０１重量％、０．１重量％、及び１重量％である消臭組成物（実施例４）を得た。【００６７】
〔実施例５〕
１−ヘキサノール（１７．０重量％）、２−メチルペンタン酸エチル（２２．０重量％）、酢酸ヘキシル（２８．０重量％）、テルピネオール（１８．０重量％）、リモネン（２．０重量％）、フェニル酢酸エチル（１０．０重量％）、及びシス−３−ヘキセノール（３．０重量％）を混合し、調合香料（以下、「調合香料Ｅ」と称する。）を調製した。調合香料Ｅに用いた香料のうち１−ヘキサノール、２−メチルペンタン酸エチル、酢酸ヘキシル、テルピネオール、及びリモネンは、変調効果を有し、フェニル酢酸エチル、及びシス−３−ヘキセノールは、マスキング効果を有することが確認された香料であり、また、調合香料Ｄに用いた香料のうち１−ヘキサノール、２−メチルペンタン酸エチル、酢酸ヘキシル、テルピネオール、及びフェニル酢酸エチルは、嗜好性が２以上となる香調がよいことが消臭特性確認試験において確認された香料である。調合香料Ｅを香料成分として用いて、処方１、３〜５により、香料成分の含有量が夫々０．００１重量％（参考例）、０．０１重量％、０．１重量％、及び１重量％である消臭組成物（実施例５）を得た。【００６８】
〔実施例６〕
イソアミルブチレート（１２．０重量％）、酢酸イソアミル（１５．０重量％）、酢酸プレニル（１５．０重量％）、シトラール（８．０重量％）、フェニル酢酸エチル（２２．０重量％）、ジヒドロミルセノール（１２．０重量％）、及びγ−テルピネン（３５．０重量％）を混合し、調合香料（以下、「調合香料Ｆ」と称する。）を調製した。調合香料Ｆに用いた香料は、何れも消臭特性確認試験においてマスキング効果を有し、嗜好性が２以上となる香調がよいことが確認された香料である。調合香料Ｆを香料成分として用いて、処方１〜５により、香料成分の含有量が夫々０．００１重量％（参考例）、０．００５重量％、０．０１重量％、０．１重量％、及び１重量％である消臭組成物（実施例６）を得た。【００６９】
〔実施例７〕
イソアミルブチレート（１２．０重量％）、酢酸イソアミル（１５．０重量％）、シトラール（１５．０重量％）、メチルヘプテノン（２２．０重量％）、ノナナール（１２．０重量％）、シクロヘキサンプロピオン酸アリル（１２．０重量％）、及び酢酸ヘキシル（１２．０重量％）を混合し、調合香料（以下、「調合香料Ｇ」と称する。）を調製した。調合香料Ｇに用いた香料のうちシクロヘキサンプロピオン酸アリル、及び酢酸ヘキシルは、変調効果を有し、イソアミルブチレート、酢酸イソアミル、シトラール、メチルヘプテノン、及びノナナールは、マスキング効果を有することが確認された香料であり、また、調合香料Ｇに用いた香料の何れもが嗜好性が２以上となる香調がよいことが消臭特性確認試験において確認された香料である。調合香料Ｇを香料成分として用いて、処方１、３〜５により、香料成分の含有量が夫々０．００１重量％（参考例）、０．０１重量％、０．１重量％、及び１重量％である消臭組成物（実施例７）を得た。【００７０】
〔実施例８〕
シクロヘキサンプロピオン酸アリル（１７．０重量％）、マルトール（１４．０重量％）、α，３，３−トリメチルシクロヘキサンメタノールホルマート（１５．０重量％）、１−ヘキサノール（１２．０重量％）、酢酸ヘキシル（２８．０重量％）シトロネロール（７．０重量％）、及びデカナール（７．０重量％）を混合し、調合香料（以下、「調合香料Ｈ」と称する。）を調製した。調合香料Ｈに用いた香料のうちシクロヘキサンプロピオン酸アリル、マルトール、α，３，３−トリメチルシクロヘキサンメタノールホルマート、１−ヘキサノール、及び酢酸ヘキシルは、消臭特性確認試験において変調効果を有し、嗜好性が２以上となる香調がよいことが確認された香料である。また、調合香料Ｈに用いた香料のうちシトロネロール、及びデカナールは、消臭性確認試験において、悪臭害虫に由来する悪臭に対する消臭性が劣ることが確認された香料である。調合香料Ｈを香料成分として用いて、処方１、３〜５により、香料成分の含有量が夫々０．００１重量％（参考例）、０．０１重量％、０．１重量％、及び１重量％である消臭組成物（実施例８）を得た。【００７１】
〔実施例９〕
イソアミルブチレート（１４．０重量％）、酢酸イソアミル（１８．０重量％）、シトラール（１５．０重量％）、メチルヘプテノン（３０．０重量％）、ノナナール（１２．０重量％）、シトロネロール（５．０重量％）、及びデカナール（６．０重量％）を混合し、調合香料（以下、「調合香料Ｉ」と称する。）を調製した。調合香料Ｉに用いた香料のうちイソアミルブチレート、酢酸イソアミル、シトラール、メチルヘプテノン、及びノナナールは、消臭特性確認試験においてマスキング効果を有し、嗜好性が２以上となる香調がよいことが確認された香料である。また、調合香料Ｉに用いた香料のうちシトロネロール、及びデカナールは、消臭性確認試験において、悪臭害虫に由来する悪臭に対する消臭性が劣ることが確認された香料である。調合香料Ｉを香料成分として用いて、処方１、３〜５により、香料成分の含有量が夫々０．００１重量％（参考例）、０．０１重量％、０．１重量％、及び１重量％である消臭組成物（実施例９）を得た。【００７２】
〔実施例１０〕
消臭特性確認試験において変調効果を有し、嗜好性が２以上となる香調がよいことが確認されたシクロヘキサンプロピオン酸アリルを香料成分として用いて、処方１〜５により、香料成分の含有量が夫々０．００１重量％（参考例）、０．００５重量％、０．０１重量％、０．１重量％、及び１重量％である消臭組成物（実施例１０）を得た。【００７３】
〔実施例１１〕
消臭特性確認試験においてマスキング効果を有し、嗜好性が２以上となる香調がよいことが確認された酢酸イソアミルを香料成分として用いて、処方１〜５により、香料成分の含有量が夫々０．００１重量％（参考例）、０．００５重量％、０．０１重量％、０．１重量％、及び１重量％である消臭組成物（実施例１１）を得た。【００７４】
〔実施例１２〕
消臭特性確認試験において変調効果を有し、嗜好性が２以上となる香調がよいことが確認されたバニリンを香料成分として用いて、処方１〜５により、香料成分の含有量が夫々０．００１重量％（参考例）、０．００５重量％、０．０１重量％、０．１重量％、及び１重量％である消臭組成物（実施例１２）を得た。【００７５】
〔実施例１３〕
消臭特性確認試験においてマスキング効果を有し、嗜好性が２以上となる香調がよいことが確認されたメチルヘプテノンを香料成分として用いて、処方１〜５により、香料成分の含有量が夫々０．００１重量％（参考例）、０．００５重量％、０．０１重量％、０．１重量％、及び１重量％である消臭組成物（実施例１３）を得た。【００７６】
〔実施例１４〕
消臭特性確認試験において変調効果を有し、嗜好性が２以上となる香調がよいことが確認された酢酸ヘキシルを香料成分として用いて、処方１〜５により、香料成分の含有量が夫々０．００１重量％（参考例）、０．００５重量％、０．０１重量％、０．１重量％、及び１重量％である消臭組成物（実施例１４）を得た。【００７７】
〔実施例１５〕
消臭特性確認試験においてマスキング効果を有し、嗜好性が２以上となる香調がよいことが確認されたシトラールを香料成分として用いて、処方１〜５により、香料成分の含有量が夫々０．００１重量％（参考例）、０．００５重量％、０．０１重量％、０．１重量％、及び１重量％である消臭組成物（実施例１５）を得た。【００７８】
〔比較例１〕
酢酸ゲラニル（２０．０重量％）、サリチル酸フェネチル（２０．０重量％）、シトロネロール（２０．０重量％）、γ−ドデカノラクトン（２０．０重量％）、及びデカナール（２０．０重量％）を混合し、調合香料（以下、「調合香料Ｊ」と称する。）を調製した。調合香料Ｊに用いた香料は、何れも消臭性確認試験において、悪臭害虫に由来する悪臭に対する消臭性が劣ることが確認された香料である。調合香料Ｊを香料成分として用いて、処方１〜５により、香料成分の含有量が夫々０．００１重量％、０．００５重量％、０．０１重量％、０．１重量％、及び１重量％である消臭組成物（比較例１）を得た。【００７９】
＜模擬カメムシ悪臭液に対する消臭効果確認試験＞
実施例１〜１３、及び比較例１の消臭組成物を用いて、模擬カメムシ悪臭液に対する消臭効果確認試験を行った。試験では、２００ｍＬガラス製ビーカーを用意し、各ビーカーの底に直径２８．５ｍｍの円形濾紙を置いて、香料成分の含有量が夫々０．００１重量％、０．０１重量％、０．１重量％、及び１重量％の消臭組成物と模擬カメムシ悪臭液とをそれぞれ噴霧した。実施例１、３、４、６、１０、１１、１２、及び１３、並びに比較例１については、香料成分の含有量を０．００５重量％に調製したものについても消臭効果確認試験を行った。コントロールとして、２００ｍＬガラス製ビーカーの底に直径２８．５ｍｍの円形濾紙を置いて、模擬カメムシ悪臭液のみを噴霧した。消臭組成物、及び模擬カメムシ悪臭液の噴霧には、株式会社マルエム製スプレーバイアル（Ｎｏ．３）を用いて、２回プッシュ（噴霧量：約４０ｍｇ）した。各ビーカーに蓋をして５分間静置した後、５名のパネラーが、夫々のビーカー内の香りをコントロールと比較して、模擬カメムシ悪臭液の悪臭に対する消臭効果、及び消臭特性を評価した。消臭効果の評価基準は、悪臭が消えているものを「良」とし、悪臭が消えていないものを「否」とした。消臭特性の評価基準は、消臭組成物の香りと異なる場合に「Ｈ：変調効果」とし、消臭組成物の香りと違いがない場合に「Ｍ：マスキング効果」とした。試験の結果を表３に示す。【００８０】
【表３】
2020137609.tif 000004
【００８１】
試験の結果、本発明の特徴構成を備えた実施例１、３、４、６、１０、１１、１２、及び１３の消臭組成物は、香料成分の含有量が０．００５重量％、０．０１重量％、０．１重量％、及び１重量％であるものにおいて、模擬カメムシ悪臭液に対する消臭効果が確認された。実施例２、５、７、８、及び９の消臭組成物は、香料成分の含有量が０．０１重量％、０．１重量％、及び１重量％であるものにおいて、模擬カメムシ悪臭液に対する消臭効果が確認された。一方、香料成分の含有量が０．００１重量％である参考例の消臭組成物においては、消臭効果は見られなかった。また、変調効果を有する香料、及びマスキング効果を有する香料の何れを香料成分に用いた場合にも、模擬カメムシ悪臭液に対する消臭効果を有することが確認された。変調効果を有する香料、及びマスキング効果を有する香料を混合した場合にも、混合のバランスにより変調にもマスキングにもなるが、いずれにしても模擬カメムシ悪臭液の悪臭は顕著に抑制されていた。【００８２】
これに対して、比較例１の消臭組成物では、香料成分の含有量が０．００５重量％以上であっても、模擬カメムシ悪臭液の悪臭が抑制されておらず、特定の香料を香料成分として用いない場合、消臭効果が得られないことが確認された。【００８３】
＜カメムシ、及びトコジラミに由来する悪臭に対する消臭効果確認試験＞
実施例１、３、４、６、１０、１１、１４、及び１５、並びに比較例１の消臭組成物を用いて、カメムシ、及びトコジラミに由来する悪臭に対する消臭効果確認試験を行った。試験では、２００ｍＬガラス製ビーカー１個にクサギカメムシ１匹、又はトコジラミ５匹を入れ、夫々のビーカーを揺らすことにより刺激を与え、虫体より悪臭を放散させた。悪臭の放出を確認した後、香料成分の含有量が夫々０．００１重量％、０．００５重量％、０．０１重量％、０．１重量％、及び１重量％の消臭組成物をビーカー内に噴霧した。消臭組成物の噴霧には、株式会社マルエム製スプレーバイアル（Ｎｏ．３）を用いて、２回プッシュ（噴霧量：約４０ｍｇ）した。噴霧から１分後にパネラーがビーカー内の香りを評価した。評価基準は、悪臭が消えているものを「良」とし、悪臭が消えていないものを「否」とした。試験の結果を表４に示す。【００８４】
【表４】
2020137609.tif 000005
【００８５】
試験の結果、本発明の特徴構成を備えた実施例１、３、４、６、１０、１１、１４、及び１５の消臭組成物では、何れも香料成分の含有量が０．００５重量％以上である場合に、カメムシ、及びトコジラミの何れの悪臭に対しても消臭効果が確認された。また、変調効果を有する香料、及びマスキング効果を有する香料の何れを香料成分に用いた場合にも、カメムシ、及びトコジラミの何れの悪臭に対しても消臭効果を有することが確認された。【００８６】
これに対して、比較例１の消臭組成物では、カメムシ、及びトコジラミの何れに対しても、悪臭が抑制されておらず、特定の香料を香料成分として用いない場合、消臭効果が得られないことが確認された。また、香料成分の含有量が０．００１重量％である参考例の消臭組成物においても、消臭効果は見られなかった。【００８７】
＜悪臭害虫防除用組成物の消臭効果確認試験＞
消臭性確認試験において選定した香料を配合して悪臭害虫防除用組成物（実施例１６〜３１）を準備し、カメムシに由来する悪臭に対する消臭効果確認試験を行った。また、比較のため、消臭性確認試験において選定した香料を含有しない消臭組成物（比較例２〜５）を準備し、同様の試験を行った。【００８８】
〔実施例１６〜２３〕
殺虫成分としてフェノトリン０．５ｇ、香料成分０．５ｇ、溶媒としてケロシンを残分（バランス）混合し、全量１２０ｍＬのエアゾール原液（非水性液剤）を調製した。このエアゾール原液１２０ｍＬをエアゾール容器（耐圧容器）に充填し、エアゾール容器にバルブ部分を取付けた後、バルブ部分を通じて噴射剤（ＬＰＧ）１８０ｍＬを加圧充填した。バルブ部分には、０．４５ｍｍφの噴口の付いた噴射ボタンをセットして、悪臭害虫防除用組成物を噴射するエアゾール製品（実施例１６〜２３）を得た。実施例１６〜２３においては、香料成分として夫々、調合香料Ａ、Ｃ、Ｄ、Ｆ、シクロヘキサンプロピオン酸アリル、酢酸イソアミル、酢酸ヘキシル、及びシトラールを用いた。【００８９】
〔実施例２４〜３１〕
殺虫成分としてシフルトリン０．２ｇ、香料成分１．２ｇ、可溶化剤としてフェニルジグリコール４．０ｇ、乳化剤としてソルポール６．０ｇ、溶媒として水を残分（バランス）混合し、全量３００ｍＬの水性液剤を調製した。この水性液剤３００ｍＬをプラスチック製トリガーポンプに充填して、悪臭害虫防除用組成物を噴霧するスプレー製品（実施例２４〜３１）を得た。実施例２４〜３１においては、香料成分として夫々、調合香料Ａ、Ｃ、Ｄ、Ｆ、シクロヘキサンプロピオン酸アリル、酢酸イソアミル、酢酸ヘキシル、及びシトラールを用いた。【００９０】
〔比較例２、３〕
実施例１６〜２３と同様の手順により、悪臭害虫防除用組成物を噴射するエアゾール製品（比較例２、３）を得た。比較例２、３においては、香料成分として夫々、調合香料Ｊ、及び酢酸ゲラニルを用いた。【００９１】
〔比較例４、５〕
実施例２４〜３１と同様の手順により、悪臭害虫防除用組成物を噴霧するスプレー製品（比較例４、５）を得た。比較例４、５においては、香料成分として夫々、調合香料Ｊ、及び酢酸ゲラニルを用いた。【００９２】
試験では、５００ｍＬガラス製ビーカー１個にクサギカメムシ１匹を入れ、夫々のビーカーを揺らすことにより刺激を与え、虫体より悪臭を放散させた。悪臭の放出を確認した後、エアゾール製品（実施例１６〜２３、比較例２、３）は、ビーカー内に１秒噴射（噴射量：約０．５ｍＬ）し、スプレー製品（実施例２４〜３１、比較例４、５）は、ビーカー内に１回噴霧（噴霧量：０．５ｇ／１プッシュ）し、１分間静置後にパネラーがビーカー内の香りを評価した。評価基準は、悪臭が消えているものを「良」とし、悪臭が消えていないものを「否」とした。試験の結果を表５に示す。【００９３】
【表５】
2020137609.tif 000006
【００９４】
試験の結果、実施例１６〜３１の悪臭害虫防除用組成物では、剤型がエアゾール（実施例１６〜２３）、水性液剤（実施例２４〜３１）の何れであっても、ビーカー内にカメムシ特有の悪臭が無かった。このことから、カメムシを駆除したときに、駆除時の虫体、及び駆除後の死骸から放出される悪臭を消臭できることが確認された。【００９５】
一方、比較例２〜５の悪臭害虫防除用組成物においては、ビーカー内にカメムシ由来の嫌な臭気が残っていた。このことから、悪臭害虫に由来する悪臭を消臭する特定の香料を香料成分として用いない場合、カメムシを駆除したときに、駆除時の虫体、及び駆除後の死骸から放出される悪臭を十分に抑制することができないことが確認された。
【産業上の利用可能性】
【００９６】
本発明の消臭組成物、及び消臭方法、並びに悪臭害虫防除用組成物、及び悪臭害虫防除方法は、悪臭害虫に由来する悪臭を消臭する用途に利用可能であり、特に、カメムシ類、トコジラミ類、ゴキブリ類、ゴミムシ類、テントウムシ類、カミキリムシ類、クサカゲロウ類、ヤスデ類、及びサシガメ類等に対して好適に利用可能である。
【国際調査報告】
2020137609.tif 000007
2020137609.tif 000008
2020137609.tif 000009
2020137609.tif 000010